(57)【要約】【課題】組み立てが容易な電子機器およびその組み立て方法を提供する。【解決手段】本発明の電子機器１は、内部に電池が収納される電池収納部４１と、前記電池収納部４１を保持するフレーム３０と、外部操作により状態切替え可能なスイッチ端子１２Ｒが一方の面一面に取り付けられ、電池接点１２Ｔが前記一方の面とは反対側の面に設けられており、且つ、前記電池接点１２Ｔが前記電池収納部４１内に配置される電池の端子と接触可能なように前記電池収納部４１の一側に固定される基板４２と、を備え、前記フレーム３０は前記外部操作の操作方向と平行な方向に沿って延びるフレーム壁３２を有し、前記電池収納部４１は、前記フレーム壁３２と平行且つ該フレーム壁３２に隣接して配置された収納部壁４１Ｓを有し、前記フレーム壁３２には、前記収納部壁４１Ｓの前記フレーム壁３２に対する前記操作方向と平行な方向の移動をガイドするガイド部３３が設けられていること、を特徴とする。【選択図】図３
2013004303.tif 000002
【特許請求の範囲】
【請求項１】
内部に電池が収納される電池収納部と、
前記電池収納部を保持するフレームと、
外部操作により状態切替え可能なスイッチ端子が一方の面一面に取り付けられ、電池接点が前記一方の面とは反対側の面に設けられており、且つ、前記電池接点が前記電池収納部内に配置される電池の端子と接触可能なように前記電池収納部の一側に固定される基板と、を備え、
前記フレームは前記外部操作の操作方向と平行な方向に沿って延びるフレーム壁を有し、
前記電池収納部は、前記フレーム壁と平行且つ該フレーム壁に隣接して配置された収納部壁を有し、
前記フレーム壁には、前記収納部壁の前記フレーム壁に対する前記操作方向と平行な方向の移動をガイドするガイド部が設けられていること、
を特徴とする電子機器。
【請求項２】
請求項１に記載の電子機器であって、
前記収納部壁が、前記フレーム壁の前記ガイド部にガイドされて前記操作方向と平行な方向に移動することにより、前記基板と前記電池収納部とが一体的に、前記フレームに対して前記操作方向に移動可能なこと、
を特徴とする電子機器。
【請求項３】
請求項１または２に記載の電子機器であって、
前記フレーム壁又は前記収納部壁の一方が伝熱部材であること、
を特徴とする電子機器。
【請求項４】
請求項１〜３のいずれか１項に記載の電子機器であって、
前記フレーム、前記電池収納部、及び前記基板を覆うとともに、前記スイッチ端子を外部より押圧操作するための押圧ボタンが取り付けられる筐体を備え、
前記基板又は前記筐体の一方には、前記基板の前記他方の面側において、前記操作方向と平行な方向に延設された突起部が配置されていること、
を特徴とする電子機器。
【請求項５】
請求項４に記載の電子機器であって、
前記基板又は前記筐体の一方には、前記基板の前記一方の面側において、前記操作方向と平行な方向に延設された突起部が配置されていること、
を特徴とする電子機器。
【請求項６】
内部に電池が収納される電池収納部と、
前記電池収納部を保持するフレームと、
外部操作により状態切替え可能なスイッチ端子が一方の面一面に取り付けられ、電池接点が前記一方の面とは反対側の面に設けられており、且つ、前記電池接点が前記電池収納部内に配置される電池の端子と接触可能なように前記電池収納部の一側に固定される基板と、を備え、
前記フレームは前記外部操作の操作方向と平行な方向に沿って延びるフレーム壁を有し、
前記電池収納部は、前記フレーム壁と平行且つ該フレーム壁に隣接して配置された収納部壁を有し、
前記フレーム壁には、前記収納部壁の前記フレーム壁に対する前記操作方向と平行な方向の移動をガイドするガイド部が設けられている電子機器において、
前記基板と前記電池収納部とを一体的に結合し、
該一体的に結合された前記基板と前記電池収納部とを、前記ガイド部のガイドに従って前記フレーム壁に沿って前記操作方向に移動させ、
前記基板を前記フレームに対して固定する、
電子機器の組み立て方法。
【発明の詳細な説明】
【技術分野】
【０００１】
本発明は、電子機器およびその組み立て方法に関するものである。
【背景技術】
【０００２】
例えば、カメラ等の電子機器には、ストローク長さに精度が要求されるレリーズボタン等のスイッチ端子が設けられている。また、電池を収納する電池ボックスを備える電子機器もあり、そのような電池ボックスには、電池接点が設けられている。電池接点においても、電池ボックスに電池を挿入したときに、電池の端子との確実な接触を確保するために、電池ボックス内において配置される位置に精度が必要である。
スイッチ端子の位置精度と、電池接点の配置の位置精度との両方を確保するために、従来、スイッチ端子と電池接点とは、それぞれ別の基板に配置されている（例えば、特許文献１参照）。
【先行技術文献】
【特許文献】
【０００３】
【特許文献１】特開２００６−４７４４９号公報
【発明の概要】
【発明が解決しようとする課題】
【０００４】
しかし、スイッチ端子と電池接点を、それぞれ別の部材や別の面に設けると、位置決めをそれぞれ行う必要があり、組み立てが容易ではない。
【０００５】
本発明の課題は、組み立てが容易な電子機器およびその組み立て方法を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、内部に電池が収納される電池収納部（４１）と、前記電池収納部（４１）を保持するフレーム（３０）と、外部操作により状態切替え可能なスイッチ端子（１２Ｒ）が一方の面一面に取り付けられ、電池接点（１２Ｔ）が前記一方の面とは反対側の面に設けられており、且つ、前記電池接点（１２Ｔ）が前記電池収納部（４１）内に配置される電池の端子と接触可能なように前記電池収納部（４１）の一側に固定される基板（４２）と、を備え、前記フレーム（３０）は前記外部操作の操作方向と平行な方向に沿って延びるフレーム壁（３２）を有し、前記電池収納部（４１）は、前記フレーム壁（３２）と平行且つ該フレーム壁（３２）に隣接して配置された収納部壁（４１Ｓ）を有し、前記フレーム壁（３２）には、前記収納部壁（４１Ｓ）の前記フレーム壁（３２）に対する前記操作方向と平行な方向の移動をガイドするガイド部（３３）が設けられていること、を特徴とする電子機器（１）である。
請求項２に記載の発明は、請求項１に記載の電子機器（１）であって、前記収納部壁（４１Ｓ）が、前記フレーム壁（３２）の前記ガイド部（３３）にガイドされて前記操作方向と平行な方向に移動することにより、前記基板（４２）と前記電池収納部（４１）とが一体的に、前記フレーム（３０）に対して前記操作方向に移動可能なこと、を特徴とする電子機器（１）である。
請求項３に記載の発明は、請求項１または２に記載の電子機器（１）であって、前記フレーム壁（３２）又は前記収納部壁（４１Ｓ）の一方が伝熱部材であること、を特徴とする電子機器（１）である。
請求項４に記載の発明は、請求項１〜３のいずれか１項に記載の電子機器（１）であって、前記フレーム（３０）、前記電池収納部（４１）、及び前記基板（４２）を覆うとともに、前記スイッチ端子（１２Ｒ）を外部より押圧操作するための押圧ボタン（１３）が取り付けられる筐体（２３）を備え、前記基板（４２）又は前記筐体（２３）の一方には、前記基板（４２）の前記他方の面側において、前記操作方向と平行な方向に延設された突起部（４１Ｃａ）が配置されていること、を特徴とする電子機器（１）である。
請求項５に記載の発明は、請求項４に記載の電子機器（１）であって、前記基板（４２）又は前記筐体（２３）の一方には、前記基板（４２）の前記一方の面側において、前記操作方向と平行な方向に延設された突起部（２３Ｃ）が配置されていること、を特徴とする電子機器（１）である。
請求項６に記載の発明は、内部に電池が収納される電池収納部（４１）と、前記電池収納部（４１）を保持するフレーム（３０）と、外部操作により状態切替え可能なスイッチ端子（１２Ｒ）が一方の面一面に取り付けられ、電池接点（１２Ｔ）が前記一方の面とは反対側の面に設けられており、且つ、前記電池接点（１２Ｔ）が前記電池収納部（４１）内に配置される電池の端子と接触可能なように前記電池収納部（４１）の一側に固定される基板（４２）と、を備え、前記フレーム（３０）は前記外部操作の操作方向と平行な方向に沿って延びるフレーム壁（３２）を有し、前記電池収納部（４１）は、前記フレーム壁（３２）と平行且つ該フレーム壁（３２）に隣接して配置された収納部壁（４１Ｓ）を有し、前記フレーム壁（３２）には、前記収納部壁（４１Ｓ）の前記フレーム壁（３２）に対する前記操作方向と平行な方向の移動をガイドするガイド部（３３）が設けられている電子機器（１）において、前記基板（４２）と前記電池収納部（４１）とを一体的に結合し、該一体的に結合された前記基板（４２）と前記電池収納部（４１）とを、前記ガイド部（３３）のガイドに従って前記フレーム壁（３２）に沿って前記操作方向に移動させ、前記基板（４２）を前記フレーム（３０）に対して固定する、電子機器（１）の組み立て方法である。
なお、符号を付して説明した構成は、適宜改良してもよく、また、少なくとも一部を他の構成物に代替してもよい。
【発明の効果】
【０００８】
本発明によれば、組み立てが容易な電子機器およびその組み立て方法を提供することができる。
【図面の簡単な説明】
【０００９】
【図１】本発明の一実施形態を適用したカメラを概念的に示す図である。
【図２】図１の縦断面図である。
【図３】図２のＡ−Ａ断面図である。
【図４】図３のＢ矢視図である。
【図５】電池ボックスアセンブリの斜視図である。
【図６】電池ボックスアセンブリの組み立て状態を示す斜視図である。
【図７】電池ボックスアセンブリを内部構造体に組み付けた状態を示す斜視図である。
【発明を実施するための形態】
【００１０】
以下、図面等を参照して、本発明の実施形態について説明する。
図１は、本発明の一実施形態を適用したカメラ１の内側筐体を背面側から見た外観斜視図である。図２は、図１の縦断面図である。
なお、図には、説明と理解を容易にするために、適宜ＸＹＺ直交座標系を設けた。この座標系では、撮影者が光軸を水平として横長の画像を撮影する場合のカメラの位置（以下、通常の撮影位置という）において撮影者から見て左側に向かう方向をＸプラス方向，通常の撮影位置において上側に向かう方向をＹプラス方向，被写体に向かう方向をＺプラス方向とする。また、Ｚプラス方向を前面側、これと反対方向を背面側ともいう。
【００１１】
図１および図２に示すカメラ１は、いわゆるデジタルカメラであって、図示しないが、結像光学系としてのレンズ、光学的な被写体像を電気信号に変換する撮像素子、ＬＣＤディスプレイ等による表示装置、ＣＰＵ等によって構成された制御装置等を備えている。
カメラ１は、内部構造体１０の外側を、外装カバー２０で覆って構成されている。
内部構造体１０は、レンズユニット、撮像素子および基板類が組み立てられて構成された本体部１１と、電池室部１２とを備えている。
【００１２】
電池室部１２は、本体部１１のＸ軸マイナス側に設けられている。電池室部１２は、内部に電池１４を収容する収容空間１２Ｓを備えている。収容空間１２Ｓに電池１４を下側（Ｙ軸マイナス側）から挿置し、また、取り出すことができるようになっている。
【００１３】
収容空間１２Ｓの内部上側には、収容した電池１４と接触する電池接点１２Ｔが配設されている。電池接点１２Ｔは、収容空間１２Ｓの上側に配置された実装基板４２の下面側に実装された接点部材１２Ｐに設けられている。
また、実装基板４２の上面側には、レリーズスイッチ１２Ｒが実装されている。
【００１４】
実装基板４２は、図示しないがフレキシブル基板等によって本体部１１と接続されている。そして、レリーズスイッチ１２Ｒの操作情報や、電池接点１２Ｔに接触する電池１４の電力や情報等が本体部１１に伝達または供給されるようになっている。
この実装基板４２は、後述する電池収納部４１に組み付けられて、電池ボックスアセンブリ４０を構成する。そして電池ボックスアセンブリ４０は、後述するフレーム３０に装着され、電池室部１２を構成する。
【００１５】
外装カバー２０は、内部構造体１０の前面側を覆う前面カバー２１と、内部構造体１０の背面側を覆う背面カバー２２と、内部構造体１０の上部を覆う上面カバー２３と、を備える。
上面カバー２３には、レリーズボタン１３がＹ軸方向に所定のストロークで移動可能に設けられている。このレリーズボタン１３の配設位置は、実装基板４２におけるレリーズスイッチ１２Ｒと対応しており、レリーズボタン１３の押圧操作によって、レリーズスイッチ１２Ｒを操作する。
レリーズスイッチ１２Ｒは、押圧ストロークによって二段階にスイッチングするスイッチであって、半押しによって合焦や測光を、全押しによって撮影を指令するように作用する。
また、図示しないが、前面カバー２１はレンズが露出するようになっており、背面カバー２２には表示装置等が設けられている。
【００１６】
そして、カメラ１は、レリーズボタン１３が押圧操作（レリーズ操作）されると、撮像素子に被写体像光を所定時間露光させて、撮像素子によって被写体像光を電気信号に変換し、図示しない記録部に記録（すなわち撮影）する。
【００１７】
つぎに、電池室部１２の構成について、前述した図１および図２に加えて、図３〜図７を参照して詳細に説明する。
図３は、図２のＡ−Ａ断面図である。図４は図３のＢ矢視図である。図５は、電池ボックスアセンブリ４０の斜視図である。図６は、電池ボックスアセンブリ４０の組み立て状態を示す斜視図である。図７は、電池ボックスアセンブリ４０を内部構造体１０に組み付けた状態を示す斜視図である。
【００１８】
電池室部１２は、本体部１１に結合されたフレーム３０と、電池ボックスアセンブリ４０と、を備える。
電池ボックスアセンブリ４０は、電池収納部４１に実装基板４２が組み付けられて構成されている。電池ボックスアセンブリ４０は、電池収納部４１を介してフレーム３０に支持され、実装基板４２を挟んで上面カバー２３に固定される。
【００１９】
上面カバー２３は、前述したように、本体部１１およびフレーム３０の上側を覆う外装部材であって、本体部１１の上面に固定されている。上面カバー２３の下面には、本体部１１との間の間隔を規定する第一突起部２３Ａと、電池ボックスアセンブリ４０が装着される第二突起部２３Ｂと、実装基板４２との間の間隔を規定する第三突起部２３Ｃと、が突設されている。
第二突起部２３Ｂは、上面カバー２３の下面の、後述する電池ボックスアセンブリ４０（電池収納部４１）における固定用ボス４１Ｃと対応する位置に、所定高さに立設されている。
【００２０】
第三突起部２３Ｃは、上面カバー２３の下面の、実装基板４２における接点部材１２Ｐの周辺に突設されている。第三突起部２３Ｃの高さは、電池ボックスアセンブリ４０が上面カバー２３に固定された（電池室部１２を構成した）状態において、実装基板４２の上面に当接する高さである。
【００２１】
上面カバー２３には、前述したように、レリーズボタン１３が、上下方向に所定のストロークで移動可能に装着されている。レリーズボタン１３は、フレーム３０の上側に位置し、電池ボックスアセンブリ４０における実装基板４２の後述するレリーズスイッチ４２Ｒと対応している。
【００２２】
フレーム３０は、図３に示すように、背面板３１の左右両縁にそれぞれ所定幅の側板３２を備えるＵ字状の断面形状である。
フレーム３０は、図２に示すように、長手方向（上下方向）両端に開放し、アルミニウム合金等の熱伝導率の高い素材によって形成されている。フレーム３０のＹ軸方向の内面の長さは、電池収納部４１の外面の幅と対応している。
フレーム３０は、前面側に開放する姿勢で（背面板３１を背面側として）、一方の側板３２が本体部１１に対して熱伝導可能に、ネジ止め等によって結合されている。
なお、フレーム３０は、本体部１１のシャーシ等と一体成形によって構成しても良い。
【００２３】
フレーム３０の側板３２には、図４に示すように、電池ボックスアセンブリ４０（電池収納部４１）をＺ方向に係止するとともに、上下方向（Ｙ方向）の移動をガイドするガイド溝３３が形成されている。
この、ガイド溝３３には、後述する電池ボックスアセンブリ４０における電池収納部４１の係合爪４１Ｐが係合する。このガイド溝３３のＺ軸方向における幅は、係合爪４１Ｐがガタ付くことなく高精度で係合するように設定されている。一方、ガイド溝３３のＹ軸方向における長さは、係合爪４１Ｐが所定量（図中±α）スライド移動できるように設定されている。
【００２４】
また、フレーム３０には、図３に示すように、背面カバー２２が、熱伝導可能に接続されている。
背面カバー２２は、熱伝導性の高い金属等の素材によって形成されている。そして、図３に示すように、背面カバー２２は、フレーム３０の側板３２の外面に沿って前面側に突出した伝熱接続部２２Ａを備えている。この伝熱接続部２２Ａは、結合ネジ４６によってフレーム３０の側板３２に締着されている。
これにより、本体部１１を構成する発熱部品からフレーム３０に伝導した熱が、伝熱接続部２２Ａを介して背面カバー２２に伝導し、背面カバー２２から外部に放出される。すなわち、背面カバー２２を放熱部材として機能させるができ、効率良く放熱することができる。
【００２５】
電池ボックスアセンブリ４０は、図５および図６に示すように、電池収納部４１に実装基板４２が組み付けられたものである。
電池収納部４１は、前面板４１Ｆの左右両縁にそれぞれ所定幅の側板４１Ｓを備えるＵ字状の断面形状である。電池収納部４１は、上側の端部が上面板４１Ｕによって閉塞され、内部に電池１４（（図２）を所定の嵌合公差で収容し得る形状に形成されている。すなわち、電池収納部４１は、電池１４を収容可能な箱（中空の直方体）から、背面側と下面側の面をそれぞれ取り除いたような形状となっている。電池収納部４１は、プラスチック素材で射出成形によって形成されている。
【００２６】
電池収納部４１のＸ軸方向における幅（両側板４１Ｓの外面間の距離）は、フレーム３０における側板３２の間に、摺動移動可能に嵌合するように設定されている。
電池収納部４１の一方の側板４１Ｓの下端縁には、電池押さえ４３が設けられている。電池押さえ４３は、たとえば、Ｙ軸と平行な軸回りの回転や、弾性変形等によって、電池収納部４１の下側の開口部と干渉する位置と、干渉しない退避位置との間を移動可能として設けられている。
【００２７】
電池収納部４１の側板４１Ｓの外面には、係合爪４１Ｐが突設されている。
係合爪４１Ｐは、図３に示すように、背面側に向かって所定角度で突出する傾斜外面と、側板４１Ｓの外面に対して直角な係止面と、を備える直角三角形状に形成されている。この係合爪４１Ｐの配設位置は、フレーム３０におけるガイド溝３３と対応している。そして、係合爪４１Ｐは、図４に示すようにガイド溝３３に係合してＹ方向にスライド可能となる。
【００２８】
電池収納部４１の上面板４１Ｕには、その背面側のＸ軸マイナス側の側方寄りに、端子開口部４１Ａが形成されている。この端子開口部４１Ａを介して、実装基板４２に実装された接点部材１２Ｐの電池接点１２Ｔが、電池収納部４１の内部に突出する。
【００２９】
電池収納部４１の上面板４１Ｕの上面には、支持ボス４１Ｂと、固定用ボス４１Ｃと、が突設されている。これら支持ボス４１Ｂおよび固定用ボス４１Ｃは、実装基板４２を支持すると共に、上面カバー２３に結合される。
支持ボス４１Ｂは、所定径の軸状で、上面板４１Ｕの上面から所定の高さを有し、上面板４１Ｕの背面側長辺の中央近傍に立設されている。
【００３０】
固定用ボス４１Ｃは、支持軸部４１Ｃａの先端に小径の嵌合軸部４１Ｃｂが突設され、段部４１Ｃｄを有する二段形状に形成されている。固定用ボス４１Ｃは、上面板４１Ｕの前面側長辺の左右方向両端部近傍に、それぞれに立設されている。
【００３１】
固定用ボス４１Ｃにおける段部４１Ｃｄの上面板４１Ｕからの高さは、支持ボス４１Ｂの高さと等しい。また、固定用ボス４１Ｃの段部４１Ｃｄから先端面までの高さ（嵌合軸部４１Ｃｂの高さ）は、実装基板４２の厚さより僅かに小さい。
固定用ボス４１Ｃの中心には、ネジ挿通孔が、上面板４１Ｕの内面側から上下に貫通して形成されている。
【００３２】
実装基板４２は、電池収納部４１における上面板４１Ｕと略対応する矩形で所定厚さの板状である。実装基板４２の上面にレリーズスイッチ１２Ｒが実装され、下面に電池接点１２Ｔを備える接点部材１２Ｐが実装されている。
実装基板４２には、電池収納部４１における支持ボス４１Ｂと対応する位置に装着孔４２Ｂが形成され、固定用ボス４１Ｃと対応する位置に位置決め嵌合孔４２Ｃが形成されている。位置決め嵌合孔４２Ｃは、固定用ボス４１Ｃにおける嵌合軸部４１Ｃｂがガタ付くこと無く嵌合する所定嵌合公差に設定されている。
【００３３】
レリーズスイッチ１２Ｒは、前述したように、押圧ストロークによって二段階にスイッチングするスイッチであって、半押しによって合焦や測光を、全押しによって撮影を指令する。
接点部材１２Ｐは、複数の電池接点１２Ｔを備えており、実装基板４２における背面側のＸ軸マイナス側の側方寄りに配設されている。
接点部材１２Ｐにおける電池接点１２Ｔは、導電性とバネ性とを有する金属によって、図中Ｙ軸方向（実装基板４２の板面と直交する方向）に弾性変形可能に形成されている。なお、これに限定されるものではないが、本実施形態で電池接点１２Ｔは、Ｘ軸方向に所定間隔で５個並設されている。
【００３４】
図６に示すように、実装基板４２において、位置決め嵌合孔４２Ｃを、電池収納部４１における固定用ボス４１Ｃの嵌合軸部４１Ｃｂに嵌合させる。そして、止めネジ４４を装着孔４２Ｂに上側から挿通させ、電池収納部４１の支持ボス４１Ｂに螺合させることによって電池収納部４１に固定される。これにより、電池ボックスアセンブリ４０が構成されている。
【００３５】
電池収納部４１へ装着する際に実装基板４２は、位置決め嵌合孔４２Ｃを固定用ボス４１Ｃの嵌合軸部４１Ｃｂへ嵌合させ、支持ボス４１Ｂへ止めネジ４４を螺合してＹ軸方向に離脱しないように固定される。この際、固定用ボス４１Ｃの段部４１Ｃｄ、支持ボス４１Ｂの上目により実装基板４２の下面が支えられ、実装基板が平行に保たれて変形が防止される。
この際、実装基板４２に実装された接点部材１２Ｐにおける電池接点１２Ｔは、電池収納部４１における上面板４１Ｕの端子開口部４１Ａから電池収納部４１の内部に所定量突出する。
【００３６】
上記のように構成された電池ボックスアセンブリ４０は、フレーム３０の開口側に嵌め込まれる。そして、図３に示すように電池収納部４１の側板４１Ｓの係合爪４１Ｐが、フレーム３０の側板３２のガイド溝３３に係合し、フレーム３０に装着される。このとき、係合爪４１はガイド溝３３にガイドされ、ガイド溝３３の上下方向（Ｙ方向）の長さだけ移動可能である。すなわち、電池収納部４１（電池ボックスアセンブリ４０）は、ガイド溝３３に沿って、フレーム３０に対して、ガイド溝３３の上下方向（Ｙ方向）の長さだけ移動可能である。
【００３７】
さらに、図２に示すように、電池収納部４１の内側から、固定用ボス４１Ｃのネジ挿通孔に挿通された固定ネジ４５が、上面カバー２３の第二突起部２３Ｂに螺合して上面カバー２３に締着される。これにより、電池ボックスアセンブリ４０は、実装基板４２を介して上面カバー２３に結合される。
前述したように、固定用ボス４１Ｃにおける嵌合軸部４１Ｃｂの高さは、実装基板４２の厚さより僅かに小さく設定されているため、実装基板４２は、固定用ボス４１Ｃの段部４１Ｃｄと上面カバー２３（第二突起部２３Ｂ）との間に挟まれて、その上面が上面カバー２３の第二突起部２３Ｂに圧接される。
【００３８】
なお、固定用ボス４１Ｃにおける嵌合軸部４１Ｃｂを実装基板４２より突出させて、その突出部を上面カバー２３における第二突起部２３Ｂに形成された凹部に嵌合させるようにしても良い。この構成においても、上面カバー２３に対する電池ボックスアセンブリ４０の水平方向（Ｘ軸およびＺ軸方向）における位置決めを行うことができる。
【００３９】
上記のように、電池ボックスアセンブリ４０は、フレーム３０に支持され、上面カバー２３に固定される。これにより、電池収納部４１の開放する背面側に、フレーム３０の背面板３１が位置し、電池収納部４１とフレーム３０とで下面側のみに開口する収容空間１２Ｓを形成する。この収容空間１２Ｓには、下側の開口部から電池１４がＹ軸方向に挿置、また、取り出し可能となる。
【００４０】
電池収納部４１における上面板４１Ｕは、収容空間１２Ｓの天面を形成し、その端子開口部４１Ａから、接点部材１２Ｐにおける電池接点１２Ｔが当該電池収納部４１の内部（すなわち収容空間１２Ｓの内部）に所定量突出する。
電池接点１２Ｔは、電池収納部４１に収容された電池１４に当接し、電池１４から本体部１１への電源電力の供給が可能となる。
【００４１】
収容空間１２Ｓの下側開口部は、詳細な説明は省略するが、外装部材（前面カバー２１または背面カバー２２）に装着された揺動開閉可能な蓋によって覆われている。その蓋を開放して、電池押さえ４３を退避位置に移動させることで、収容空間１２Ｓへの電池１４の挿置、および収容空間１２Ｓからの電池１４の取り出しを行うことが出来る。
収容空間１２Ｓに収容された電池１４は、電池押さえ４３によってＹ軸方向の位置が規定され、電池接点１２Ｔに導通可能に圧接する。電池１４が電池接点１２Ｔに圧接するため、実装基板４２は電池接点１２Ｔを介して上方（Ｙ軸プラス側）に押圧される。しかし、この押圧力による実装基板４２の変形は、その上面に位置する上面カバー２３の第三突起部２３Ｃが規制する。これにより、実装基板４２が逃げることによる電池接点１２Ｔの圧接力の低下およびそれに起因する接触不良等を防ぐことができる。
【００４２】
上記のように、電池室部１２は、電池ボックスアセンブリ４０が、フレーム３０に支持されると共に上面カバー２３に固定されて構成される。
前述したように、実装基板４２は、固定用ボス４１Ｃの段部４１Ｃｄと上面カバー２３（第二突起部２３Ｂ）との間に挟まれて、その上面が上面カバー２３の第二突起部２３Ｂに圧接されて固定される。
【００４３】
これにより、実装基板４２の上面の、上面カバー２３に対するＹ軸方向における位置を、高い精度で規定できる。その結果、実装基板４２の上面に実装されたレリーズスイッチ１２Ｒと、上面カバー２３に装着されたレリーズボタン１３との、Ｙ軸方向における相対位置を高い精度に設定でき、レリーズスイッチ１２Ｒをスイッチング操作するレリーズボタン１３の押圧ストロークを高精度で一定化できる。
【００４４】
また、実装基板４２の下面は、固定用ボス４１Ｃの段部４１Ｃｄに圧接され、電池収納部４１に対するＹ軸方向における位置が決まる。これにより、実装基板４２の下面に実装された接点部材１２Ｐにおける電池接点１２Ｔの、電池収納部４１の内部への突出量を高い精度に規定できる。このため、電池１４に圧接するための弾性変形量の許容範囲を小さくでき、接点部材１２Ｐ（電池接点１２Ｔ）を小さく構成できる。その結果、カメラ１全体の小型化に寄与できる。
【００４５】
つまり、本構成では、一つの実装基板４２の表裏にレリーズスイッチ１２Ｒと接点部材１２Ｐとを実装し、その何れも機能的に高い精度で配置することができる。
また、上面カバー２３に対する、電池ボックスアセンブリ４０における電池収納部４１のＹ軸方向の位置精度が高く、従って、上面カバー２３と接続して設けられる他の外装カバー２０（前面カバー２１，背面カバー２２等）との相対位置精度も高くできる。
【００４６】
つぎに、上記のような電池室部１２の組立工程について説明する。
電池室部１２の組み立ては、まず、図６に示すように実装基板４２を電池収納部４１に装着して、図５に示す電池ボックスアセンブリ４０を構成する。すなわち、実装基板４２の位置決め嵌合孔４２Ｃを、電池収納部４１における固定用ボス４１Ｃの嵌合軸部４１Ｃｂに嵌合し、装着孔４２Ｂの上側から挿通した止めネジ４４を電池収納部４１の支持ボス４１Ｂに螺合して、実装基板４２を電池収納部４１に固定する。
【００４７】
ついで、図７に示すように、電池ボックスアセンブリ４０を、本体部１１に装着されているフレーム３０に装着する。
すなわち、電池収納部４１の開放側を背面側に向けた姿勢で、フレーム３０の開口側（前面側）に嵌め込み、電池収納部４１の側板４１Ｓの係合爪４１Ｐを、フレーム３０の側板３２のガイド溝３３に係合させる。
前述したように、電池収納部４１の係合爪４１Ｐは、フレーム３０のガイド溝３３に、Ｚ軸方向にはガタ付くことなく、Ｙ軸方向には所定量移動可能に係合する。これにより、電池収納部４１（電池ボックスアセンブリ４０）は、Ｚ軸方向の位置が決まった状態で、Ｙ軸方向には所定量移動可能としてフレーム３０に装着される。
この状態において、実装基板４２と本体部１１とを繋ぐコネクタの接続作業を行う。
【００４８】
そして、電池ボックスアセンブリ４０における電池収納部４１の内側から、固定用ボス４１Ｃのネジ挿通孔に挿通した固定ネジ４５を上面カバー２３の第二突起部２３Ｂに螺合させて、実装基板４２を挟んで固定用ボス４１Ｃ（電池収納部４１）を上面カバー２３に締着する。この締着時、電池ボックスアセンブリ４０は、フレーム３０に対してＹ軸方向に所定量移動可能であるため、公差の集積による寸法誤差等があっても、電池ボックスアセンブリ４０を上面カバー２３に精度良く位置決めして装着することができる。これにより、図１および図２に示すように電池室部１２が組み立てられる。
【００４９】
以上、本実施形態によると、以下の効果を有する。
（１）カメラ１の電池室部１２は、電池ボックスアセンブリ４０を備える。この電池ボックスアセンブリ４０は、上面にレリーズスイッチ１２Ｒが実装され且つ下面に接点部材１２Ｐ（電池接点１２Ｔ）が実装された実装基板４２を有する。そして、実装基板４２を、上面カバー２３の第二突起部２３Ｂと、電池収納部４１の上面板４１Ｕとの間に挟んで固定されて構成されている。
これにより、実装基板４２の上面の、上面カバー２３に対するＹ軸方向における位置が、高い精度で規定される。その結果、実装基板４２の上面に実装されたレリーズスイッチ１２Ｒと、上面カバー２３に装着されたレリーズボタン１３との、Ｙ軸方向における相対位置を高い精度に設定でき、レリーズスイッチ１２Ｒをスイッチング操作するレリーズボタン１３の押圧ストロークを高精度で一定化できる。
【００５０】
また、実装基板４２の下面は、固定用ボス４１Ｃの段部４１Ｃｄによって電池収納部４１に対するＹ軸方向における位置が規定される。これにより、実装基板４２の下面に実装された接点部材１２Ｐにおける電池接点１２Ｔの、電池収納部４１の内部への突出量を高い精度に規定できる。このため、電池接点１２Ｔの電池１４に圧接するための弾性変形量の許容範囲を小さくでき、接点部材１２Ｐを小型に形成できる。その結果、カメラ１全体の小型化に寄与できる。
【００５１】
（２）電池室部１２を構成するフレーム３０は、アルミニウム合金等の熱伝導率の高い素材によって形成されている。そしてフレーム３０は、本体部１１に当該本体部１１に対して熱伝導可能に結合されている。このフレーム３０には背面カバー２２が伝熱接続部２２Ａを介して熱伝導可能に接続されている。これにより、背面カバー２２を放熱部材として機能させることができ、効率良く放熱することができる。
【００５２】
（３）電池ボックスアセンブリ４０における電池収納部４１は、その係合爪４１Ｐがフレーム３０のガイド溝３３にＹ軸方向には所定量移動可能に係合する。これにより、電池ボックスアセンブリ４０を上面カバー２３に精度良く位置決めして装着することができる。
【００５３】
（変形形態）
以上、説明した実施形態に限定されることなく、以下に示すような種々の変形や変更が可能であり、それらも本発明の範囲内である。
上記実施形態は、本発明をデジタルカメラに適用したものであるが、本発明はこれに限らず、携帯電話等の電池を用いる他の機器に適用しても良い。
なお、実施形態及び変形形態は、適宜組み合わせて用いることもできるが、詳細な説明は省略する。また、本発明は以上説明した実施形態によって限定されることはない。
【符号の説明】
【００５４】
１：カメラ、１０：内部構造体、１１：本体部、１２：電池室部、１２Ｐ：端子部、１２Ｒ：レリーズスイッチ、１２Ｓ：収容空間、１２Ｔ：電池接点、１３：レリーズボタン、１４：電池、２０：外装カバー、２１：前面カバー、２２：背面カバー、２２Ａ：伝熱接続部、２３：上面カバー、３０：フレーム、３３：係止孔、４０：電池ボックスアセンブリ、４１：電池収納部、４１Ｐ：係合爪、４２：実装基板、４５：固定ネジ
【図１】
2013004303.tif 000003
【図２】
2013004303.tif 000004
【図３】
2013004303.tif 000005
【図４】
2013004303.tif 000006
【図５】
2013004303.tif 000007
【図６】
2013004303.tif 000008
【図７】
2013004303.tif 000009